(57)【要約】      （修正有）【課題】解除の手間がかからず、使用上、便利な介護用ベッドのベッドガードを提供する。【解決手段】ベッドガードは、一対のサポート部材１０と、一対の回転部材４０と、操作棒５０と、柵部材６０とを有する。一対のサポート部材は、ベッドに固定され、それぞれの上部に掛止凹部１１０が凹設されている。一対の回転部材はそれぞれ、回転可能にサポート部材に取り付けられ、前記掛止凹部に対応する箇所に掛止突起４３１が設けられた係止部材４３を備える。操作棒は、一対の回転部材の係止部材の間に取り付けられ、柵部材は、一対の回転部材の間に取り付けられる。操作時に、使用者が操作棒５０を持ち上げると、係止部材の掛止突起４３１がサポート部材の掛止凹部１１０から脱出することから、柵部材６０が回転部材を介してサポート部材１０に対して下方に回転し、使用者はベッドから楽に立ち上がることができる。【選択図】図３
0003209233.tif 000002
【実用新案登録請求の範囲】
【請求項１】
それぞれの上部に掛止凹部が凹設された一対のサポート部材と、
それぞれ、軸と、ジョイントと、係止部材と、摺動柱と、バネと、スリーブとを備えた一対の回転部材であって、ここで、前記軸がサポート部材とジョイントの間に挿設され、前記ジョイントは、中空状の部材であり、軸を介して回転可能にサポート部材に取り付けられ、前記係止部材は、中空状の部材であり、外周面における前記掛止凹部と対応する箇所に掛止突起が設けられると共に、外周面における掛止突起と対応する箇所に第一貫通穴が形成され、前記スリーブが前記係止部材の外径よりも大きな内径を有し、前記バネは、一端がスリーブに当接すると共に他端が係止部材に当接するように取り付けられている、一対の回転部材と、
前記一対の係止部材の間に取り付けられた操作棒と、
横棒及び一対の縦棒を含んでなる柵部材であって、前記横棒の両端がそれぞれ縦棒に連接され、前記各縦棒は、順次に対応するスリーブ、バネ、係止部材を通過してジョイントに固定され、そのうち、スリーブ及びジョイントがそれぞれ縦棒に固定され、該各縦棒の外周面に長手方向に延びる第二貫通穴が形成され、前記摺動柱が前記係止部材の第一貫通穴及び前記縦棒の第二貫通穴に挿設されている、柵部材と、
を備えていることを特徴とするベッドガード。
【請求項２】
前記一対のサポート部材の間に補助棒が設置されることを特徴とする請求項１に記載のベッドガード。
【請求項３】
前記サポート部材は、組立座及び回転座を備え、該回転座は、組立座の一側から凸設され、その一側に軸穴が形成され、該軸穴の中心と組立座との間に所定の距離を有し、
前記ジョイントは、互いに直交する第一連結部及び第二連結部を備え、
前記回転部材の軸における、一端が回転座の軸穴に挿設され、他端がジョイントの第一連結部に挿設され、
前記縦棒の下端がジョイントの第二連結部に挿し込まれている、ことを特徴とする請求項２に記載のベッドガード。
【請求項４】
前記サポート部材が中空状の棒体であり、
さらに、一対のスタンド部材を備えており、該各スタンド部材は、設置部及び支持部を備え、該支持部は、設置部の一端から上方に延設されると共に、サポート部材の組立座に挿し込まれ、該設置部は、支持部によって支持されたサポート部材に対して所定の角度となるように設置されている、ことを特徴とする請求項３に記載のベッドガード。
【請求項５】
前記一対のスタンド部材の間に連接棒が取り付けられ、該連接棒の両端がそれぞれ一対のスタンド部材の設置部に固定されることを特徴とする請求項４に記載のベッドガード。
【請求項６】
前記スタンド部材の設置部とサポート部材の組立座との間が９０度よりも小さい角度となると共に、前記柵部材とスタンド部材との間が９０度よりも小さい角度となることを特徴とする請求項４に記載のベッドガード。
【請求項７】
前記サポート部材の組立座に少なくとも２つの上下位置が異なる第一調節穴が形成され、
前記スタンド部材の支持部に少なくとも２つの上下位置が異なる第二調節穴が形成され、
前記補助棒は、その両端を介して上下位置が対応するサポート部材の第一調節穴及びスタンド部材の第二調節穴に挿設されることを特徴とする請求項４に記載のベッドガード。
【請求項８】
前記摺動柱は、係止部材の第一貫通穴に貫設されると共に、掛止突起の内部にも貫設されるため、掛止突起の構造強度を高める、ことを特徴とする請求項１に記載のベッドガード。
【請求項９】
前記操作棒に滑り止め部材が環装されていることを特徴とする請求項１に記載のベッドガード。
【請求項１０】
前記柵部材の横棒に滑り止め部材が環装されていることを特徴とする請求項１に記載のベッドガード。
【考案の詳細な説明】
【技術分野】
【０００１】
本考案は、特に介護用ベッドのベッドガードに関するものである。
【背景技術】
【０００２】
高齢者や病人などの生活に支障がある人は、自分でベッドから立ち上がるのが難しく、ベッドの一側にベッドガードを装着して補助することができる。
【先行技術文献】
【特許文献】
【０００３】
【特許文献１】（特になし）
【考案の概要】
【考案が解決しようとする課題】
【０００４】
しかしながら、既存のベッドガードは、固定式フェンスからなるため、フェンスを調整したり開けたりすることができないため、高齢者または病人にとって使い難い。例えば、使用者がフェンスを捕まってベッドから起き上がっても床から立ち上がることが困難であった。一方、既存のベッドガードは、ロック付きのフェンスもあるが、そのロック構造が複雑であるため、解除の手間がかかり、使用上、非常に不便であった。
【課題を解決するための手段】
【０００５】
上述した問題を解決するために、本考案に係るベッドガードを提供する。
本考案に係るベッドガードは、
それぞれの上部に掛止凹部が凹設された一対のサポート部材(10)と、
それぞれ、軸と、ジョイントと、係止部材と、摺動柱と、バネと、スリーブを備えた一対の回転部材(40)であって、ここで、前記軸がサポート部材とジョイントの間に挿設され、該ジョイントは、中空状の部材であり、軸を介して回転可能にサポート部材に取り付けられ、該係止部材は、中空状の部材であり、外周面における掛止凹部と対応する箇所に掛止突起が設けられると共に、外周面における掛止突起と対応する箇所に第一貫通穴が形成され、該スリーブが係止部材の外径よりも大きな内径を有し、該バネは、一端がスリーブに当接すると共に他端が係止部材に当接するように取り付けられる、一対の回転部材(40)と、
前記一対の係止部材の間に取り付けられた操作棒(50)と、
横棒及び一対の縦棒を含んでなる柵部材(60)であって、該横棒の両端がそれぞれ縦棒に連接され、該各縦棒は、順次に対応するスリーブ、バネ、係止部材を通過してジョイントに固定され、そのうち、スリーブ及びジョイントがそれぞれ縦棒に固定され、該各縦棒の外周面に長手方向に延びる第二貫通穴が形成され、前記摺動柱が前記係止部材の第一貫通穴及び縦棒の第二貫通穴に挿設されている、柵部材(60)と、を備えている。
【０００６】
かかるベッドガードにおいて、前記一対のサポート部材の間に補助棒が設置されることが好ましい。
【０００７】
かかるベッドガードにおいて、
前記サポート部材は、組立座及び回転座を備え、該回転座は、組立座の一側から凸設され、その一側に軸穴が形成され、該軸穴の中心と組立座との間に所定の距離を有し、
前記ジョイントは、互いに直交する第一連結部及び第二連結部を備え、
前記（回転部材の）軸における、一端が回転座の軸穴に挿設され、他端がジョイントの第一連結部に挿設され、
前記縦棒の下端がジョイントの第二連結部に挿し込まれている、ことが好ましい。
【０００８】
かかるベッドガードにおいて、
前記サポート部材が中空状の棒体であり、
さらに、一対のスタンド部材(20)を備えており、該各スタンド部材は、設置部及び支持部を備え、該支持部は、設置部の一端から上方に延設されると共に、サポート部材の組立座に挿し込まれ、該設置部は、支持部によって支持されるサポート部材に対して所定の角度となるように設置されることが好ましい。
【０００９】
かかるベッドガードにおいて、前記一対のスタンド部材の間に連接棒が取り付けられ、該連接棒の両端がそれぞれ一対のスタンド部材の設置部に固定されることが好ましい。
【００１０】
かかるベッドガードにおいて、前記スタンド部材の設置部とサポート部材の組立座との間が９０度よりも小さい角度となると共に、前記柵部材とスタンド部材との間が９０度よりも小さい角度となることが好ましい。
【００１１】
かかるベッドガードにおいて、前記サポート部材の組立座に少なくとも２つの上下位置が異なる第一調節穴が形成され、
前記スタンド部材の支持部に少なくとも２つの上下位置が異なる第二調節穴が形成され、
前記補助棒は、その両端を介して上下位置が対応するサポート部材の第一調節穴及びスタンド部材の第二調節穴に挿設されることが好ましい。
【００１２】
かかるベッドガードにおいて、前記摺動柱は、係止部材の第一貫通穴に貫設されると共に、掛止突起の内部にも貫設されるため、掛止突起の構造強度を増大させる、ことが好ましい。
【００１３】
かかるベッドガードにおいて、前記操作棒に滑り止め部材が環装されることが好ましい。
【００１４】
かかるベッドガードにおいて、前記柵部材の横棒に滑り止め部材が環装されることが好ましい。
【考案の効果】
【００１５】
本考案に係るベッドガードは、上述した構造を有することから、以下のメリットを有する。即ち、
使用者がベッドに横になっている時、柵部材をスタンド部材に対して直立状態かつロック状態にして転落を防止することができる。使用者がベッドから起き上がる場合には、柵部材の横棒を持って少し力を入れては、楽に起き上がることができる。使用者がベッドから立ち上がる場合には、操作棒を持ち上げて、その両側の係止部材を上方へ移動させると、係止部材がバネを圧縮しながらスリーブに入り込み、この時、係止部材の掛止突起がサポート部材の掛止凹部から脱出することから、柵部材をベッドに対して下方へ回転させることができ、そして、使用者がベッドから楽に立ち上がることができる。このように本考案は、高齢者または病人にとって実用性が高いものである。
【図面の簡単な説明】
【００１６】
【図１】本考案の斜視図である。
【図２】図１の部分分解斜視図である。
【図３】図２の部分拡大分解斜視図である。
【図４】本考案の組立状態を示す部分拡大断面図である。
【図５】本考案の操作動作を示す部分拡大断面図である。
【図６】本考案の他の操作動作を示す部分拡大断面図である。
【図７】本考案の柵部材を転落防止に使用した斜視図である。
【図８】本考案の柵部材を下方へ回転した斜視図である。
【考案を実施するための形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１及び図２に示すように、本考案に係るベッドガードは、一対のサポート部材１０と、一対のスタンド部材２０と、連接棒３０と、一対の回転部材４０と、操作棒５０と、柵部材６０と、補助棒７０とを有する。
【００１９】
図１乃至図３に示すように、前記一対のサポート部材１０は、中空状の短い棒体であり、それぞれ相対するように配列され、該各サポート部材１０は、組立座１１及び回転座１２を備え、該組立座１１の上部に掛止凹部１１０が凹設され、該回転座１２は、組立座１１の一側から凸設され、その一側に軸穴１２０が形成され、該軸穴１２０の中心と組立座１１との間に所定の距離を有する。
【００２０】
前記一対のスタンド部材２０は、それぞれ相対するように配列され、該各スタンド部材２０は、設置部２１及び支持部２２を備え、該設置部２１は、一直線状を呈するように水平状態に配置され、該支持部２２は、設置部２１の一端から上方に延設され、組立座１１の中空状の底部に挿し込まれ、それによれば、スタンド部材２０は、設置部２１が組立座１１に対して所定の角度となるように、サポート部材１０に取り付けられる。すなわち、本実施例のスタンド部材２０は、支持部２２が組立座１１に挿設されることによって、設置部２１がサポート部材１０に対して所定の角度（例えば、９０度）となるように、サポート部材１０に取り付けられる。また、スタンド部材２０の設置部２１とサポート部材１０の組立座１１との間が９０度と同じかそれよりも小さい角度となることが好ましい。
【００２１】
図１及び図２に示すように、前記連接棒３０は、一対のスタンド部材２０の間に取り付けられる。本実施例における連接棒３０の両端はそれぞれ、一対のスタンド部材２０の設置部２１の他端に固定される。
【００２２】
本考案に係るベッドガードを装着する時、図７及び図８に示すように、スタンド部材２０及び連接棒３０が敷布団８０の下方に設置され、ベッドガードを安定してベッドに装着することができる。他の実施例においては、サポート部材１０を螺合手段によってベッドに装着してもよいことから、スタンド部材２０及び連接棒３０を省略してもよい。
【００２３】
前記補助棒７０は、一対のサポート部材１０の間に固定され、その両端がそれぞれ一対のサポート部材１０に取り付けられ、該一対のサポート部材１０を安定して連結することができる。
【００２４】
一方、本実施例における、サポート部材１０の組立座１１に少なくとも２つの上下位置が異なる第一調節穴１１１が形成され、スタンド部材２０の支持部２２に少なくとも２つの上下位置が異なる第二調節穴２２０が形成され、補助棒７０は、その両端を介して上下位置が対応するサポート部材１０の第一調節穴１１１及びスタンド部材２０の第二調節穴２２０に挿設される。
なお、他の実施例においては、そのサポート部材１０をしっかりとベッドに装着することができれば、補助棒７０を省略しても構わない。
さらに、その補助棒７０を上下位置に調整する場合には、まず補助棒７０を取り外して、所望の上下位置にある第一調節穴１１１及び第二調節穴２２０に対応してもう一度、挿設されればよい。
【００２５】
図３及び図４に示すように、前記回転部材４０は、軸４１と、ジョイント４２と、係止部材４３と、摺動柱４４と、バネ４５と、スリーブ４６を備え、該軸４１の一端が軸穴１２０に挿設され、他端がジョイント４２に挿設される。そのうち、軸穴１２０の中心と組立座１１との間に所定の距離を有するため、軸４１の中心と組立座１１との間にも所定の距離を有し、そのため、柵部材６０が回転部材４０によってサポート部材１０に対して回転する時、柵部材６０がベッドと平行または鋭角になるように調整することができ、すなわち、柵部材６０がベッドの縁部に止って邪魔になることがない。本実施例における柵部材６０とスタンド部材２０との間が９０度よりも小さい角度となることが好ましい。
【００２６】
前記ジョイント４２は、軸４１を介して回転可能にサポート部材１０に取り付けられ、中空状の部材であり、互いに直交する第一連結部４２０及び第二連結部４２１を備え、前記軸４１の他端がジョイント４２の第一連結部４２０に挿設されることが好ましい。前記係止部材４３は、中空状の部材であり、外周面における掛止凹部１１０と対応する箇所に掛止突起４３１が設けられ、外周面における掛止突起４３１と対応する箇所に第一貫通穴４３０が径方向に形成される。前記スリーブ４６は、外周面に固定穴４６０が径方向に形成され、該固定穴４６０にピン４６１が挿設され、係止部材４３の外径よりも大きいな内径を有し、前記係止部材４３を持ち上げてはスリーブ４６に入り込むことができる。前記摺動柱４４は、係止部材４３の第一貫通穴４３０に貫設されると共に、掛止突起４３１の内部にも貫設されることから、掛止突起４３１の構造強度を増加させることができる。
前記バネ４５は、一端がスリーブ４６に当接すると共に、他端が係止部材４３に当接するように取り付けられる。
【００２７】
図１に示すように、前記操作棒５０は、一対の係止部材４３の間に取り付けられ、その両端がそれぞれ係止部材４３から延出する接続管に挿設される。また、該操作棒５０の外周面に滑り止め部材５１０が環装されることが好ましく、滑り止め効果を提供する。
【００２８】
図２乃至図４に示すように、前記柵部材６０は、横棒６１及び一対の縦棒６２を含み、該横棒６１の両端がそれぞれ縦棒６２に連接され、該横棒６１の外周面に滑り止め部材６１０が環装され、その一対の縦棒６２がそれぞれ相対するように配置され、該各縦棒６２は、順次に対応するスリーブ４６、バネ４５、係止部材４３を通過してジョイント４２に挿し込まれ、そのうち、スリーブ４６がピン４６１により縦棒６２に固定され、該ジョイント４２の第二連結部４２１がピン４２２により縦棒６２の下端に固定される。
【００２９】
また、図３乃至図５に示すように、各縦棒６２の外周面に長手方向の長型穴である第二貫通穴６２１が形成され、前記摺動柱４４が係止部材４３の第一貫通穴４３０及び縦棒６２の第二貫通穴６２１に挿設されることから、前記係止部材４３が上下移動可能に縦棒６２に取り付けられ、すなわち、前記摺動柱４４が縦棒６２の第二貫通穴６２１に沿って上下摺動することによって、前記係止部材４３が縦棒６２に対して上下摺動することができる。
【００３０】
図４及び図７に示すように、本考案に係るベッドガードは、転落防止状態にする場合には、その柵部材６０がスタンド部材２０の設置部２１に対して所定の角度を有するように直立状態にしており、この時、係止部材４３がバネ４５の付勢力によって下方へ押圧され、係止部材４３の掛止突起４３１がサポート部材１０の掛止凹部１１０に押付けられるため、柵部材６０をロックする状態となる。
【００３１】
図５及び図７に示すように、本考案に係るベッドガードをロック状態から解除する場合には、まず操作棒５０を持ち上げて、係止部材４３が柵部材６０の縦棒６２に沿ってスリーブ４６に対して上方へ移動しながらバネ４５を圧縮させ、この時、係止部材４３の掛止突起４３１が掛止凹部１１０から脱出するため、ロック状態を解除することができる。その後、図６及び図８に示すように、使用者が柵部材６０及び操作棒５０を回転部材４０によりサポート部材１０に対して下方へ回転することができる。
【００３２】
本考案に係るベッドガードは、上述した構造を有することから、以下のメリットを有する。即ち、
使用者がベッドに横になっている時、柵部材６０をスタンド部材２０に対して直立状態かつロック状態にして転落防止対策を行うことができる。使用者がベッドから起き上がる場合には、柵部材６０の横棒６１を持って少し力を入れては、楽に起き上がることができる。使用者がベッドから立ち上がる場合には、操作棒５０を持ち上げて、その両側の係止部材４３を上方へ移動させると、係止部材４３がバネ４５を圧縮しながらスリーブ４６に入り込み、この時、係止部材４３の掛止突起４３１がサポート部材１０の掛止凹部１１０から脱出することから、柵部材６０をベッドに対して下方へ回転させることができ（図８参照）、そして、使用者がベッドから楽に立ち上がることができる。
【符号の説明】
【００３３】
１０  サポート部材
１１  組立座
１１０  掛止凹部
１１１  第一調節穴
１２  回転座
１２０  軸穴
２０  スタンド部材
２１  設置部
２２  支持部
２２０  第二調節穴
３０  連接棒
４０  回転部材
４１  軸
４２  ジョイント
４２０  第一連結部
４２１  第二連結部
４２２  ピン
４３  係止部材
４３０  第一貫通穴
４３１  掛止突起
４４  摺動柱
４５  バネ
４６  スリーブ
４６１  ピン
５０  操作棒
５１０  滑り止め部材
６０  柵部材
６１  横棒
６１０  滑り止め部材
６２  縦棒
６２１  第二貫通穴
７０  補助棒
８０  敷布団
【図１】
0003209233.tif 000003
【図２】
0003209233.tif 000004
【図３】
0003209233.tif 000005
【図４】
0003209233.tif 000006
【図５】
0003209233.tif 000007
【図６】
0003209233.tif 000008
【図７】
0003209233.tif 000009
【図８】
0003209233.tif 000010